(57)【要約】      （修正有）【課題】咽喉粘液除去に係わり、特に在宅患者の何時起こるかわからない痰の絡まりによる、呼吸不全の発作に即座に対処できる電動吸引器代用の除去具を提供する。【解決手段】１は木質・合成樹脂等適宜素材にて射出・その他の成型された除去具本体の軸心、２は咽喉粘液を吸着する除去具の吸着面、３は除去具を操作する際の掌握部・ハンドル、４はやや先細りの吸着面の最先端２センチだけ軸芯を入れず、代わりに芯を硬めに巻き込んであり３０°柔軟に曲がり操作をスム−ズにする。電動吸引器の備えがない場合や停電で使用不可、又移動時の発作にも即座に対処できる、常備、且つ、携帯も可能、患者の呼吸不全発作の際は、誰にも容易に使用出来、即座に、本除去具で咽喉粘液を吸着面に絡め取り、患者を危急からの脱出に役立つ。【選択図】図１
0003163948.tif 000002
【実用新案登録請求の範囲】
【請求項１】
除去具（軸芯）本体の先端に咽喉粘液（以下痰とします）を絡め取る吸湿性の適宜素材による不織布・綿花等を用いた吸着面部分と、除去具（軸芯）掌握部（ハンドル）は間伐材等木質・合成樹脂系からなる構成で、除去具（軸芯）先端・吸着面の内部の軸芯は吸着面先端の２．センチメ−トル手前までとし、やや先細りの吸着面５センチメ−トルは、先端２，センチメ−トルまでが柔軟で３０°ほど緩やかに曲がり、吸着面部分は、軸芯から抜けたり、屑片等が咽喉粘膜に付着したりの事態が起こらない仕様の、経口用具に為、医療器具の規格に沿った構成からなり量産も可能とする、電動吸引器代用として常備、又停電時や移動時の車内でも、携帯用除去具が緊急時には役立つ。呼吸不全対応の外来・在宅患者用咽喉粘液除去具。
【考案の詳細な説明】
【技術分野】
【０００１】  本考案は、咽喉粘液（以下痰とします）の絡まりによる呼吸不全の発作時に、即座に対処できる除去具（以下除去具とします）に関するもので、停電時にも電動吸引器に代用する。
【背景技術】
【０００２】  外来又、在宅診療を受けているベッドから起きられない高齢者の、何時起こるかわからない痰の絡まりによる、呼吸不全の発作には、早急な痰の除去が望まれるが、吸引機器等、備えが無い場合もあり、最悪の事態に陥ることもある。
【考案の概要】
【考案が解決しようとする課題】
【０００３】  患者にとっては、病院は設備も、人的にも万全で安心であるが、在宅の場合、電動のカテ−テルによる吸引器が全て、セットしてあるとは考えられず、例え、設備があっても、稀に災害時等停電の際は電動機器は使えないという問題点があった。電動吸引器も、使用前後は排泄物の処理、洗浄・消毒等介助者には負担になり、介護者が高齢の場合、疲れで共倒れになる事もある。又、患者の移動に際にも、車中で呼吸困難になることもあり得る。従って、この様な緊急時に、誰にも、容易に使用でき、携帯も、又、常にベッドサイドに常備しておけるものとして前述の欠点を解決しようとするものである。
【課題を解決するための手段】
【０００４】、本考案による除去具においては、形態は綿棒状ながら、除去具の全長は凡そ２２センチメ−トル〜２４センチメ−トルの手働のもので、除去具本体のハンドルを持って、咽喉部へ挿入し、先端の吸着面をハンドルで操作し、軽く廻しながら痰を絡めて引出す方法の構成となすもので、材質も構成も合成樹脂系・自然の間伐材等木質・綿・等又、除去具先端の吸着面はやや先細りの形態にて、使用中に吸着面部分がハンドル（軸芯）から抜け落ちない構造、吸着面部分最先端２センチメ−トルまで軸芯を入れず３０°回転する柔軟構造とした綿布・合成樹脂等適宜素材を用いる。何れも気管に支障を来たさないもの、更に、経口の用具のため医療用具の一つとして、規格に沿った殺菌・消毒、更に包装にも留意、ベッドの枕近くに、良く目立つ救急箱に入れる等の工夫があれば、誰にも直ちに操作でき、使用後は必ず廃棄するとしたことにより、問題点を解決している。
【考案の効果】
【１０００５】  上述の様に、本考案の呼吸不全対応の外来・在宅患者用咽喉粘液除去具本体を、常備し、移動に際しては、携帯することにより、患者に何時、痰の絡まりによる呼吸不全の発作が起こっても、介助人ほか誰にでも慌てず、即座に対処できることで、電動吸引器が使えない時にも、隙間を埋める救急用具である。
【図面の簡単な説明】
【０００６】
【図１】本考案の呼吸不全対応の外来在宅患者用咽喉粘液除去具の一例を示す正面図である。
【図２】本考案の除去具先端の吸着面の柔軟性の事態を示す図である。
【考案を実施するための形態】
【０００７】  本考案の除去具において、高齢の患者さんの寝室には、殆どの家庭に救急用具を入れる［赤十字マ−ク］の木の箱にガ−ゼ・傷薬・絆創膏や感冒薬・胃散などを常備していた。在宅で、自らは、何も出来ず寝たきりの高齢者は嚥下もままならず、呼吸機能も弱り咽喉に絡まった痰を吐き出すことも、クシャミすらできず往々にして、絡まった痰で呼吸困難になることが多い。この様に緊迫した事態にも、本除去具が手近にあれば、若し、救急箱に救急用具の一つとして常備してあれば即座に、誰にでも容易に患者の苦しみを取り除くことができる。此の様な場合は緊急事態であり、救急箱を持ち出したり、探したり、中から取り出したりするよりは『はっきり』と色彩や図形で表示したケ−ス入りや、包装や、個装があれば、直ちに対応可能となる。
【実施例】
【０００８】  以下、添付図面に従って一実施例を説明する。図１の  １は木質・合成樹脂等適宜素材にて射出・その他の成型された除去具本体の軸心、２は咽喉粘液を吸着する除去具の吸着面、３は除去具を操作する際の掌握部・ハンドル、４はやや先細りの吸着面の最先端２センチだけ軸芯を入れず、代わりに芯を硬めに巻き込んであり３０°柔軟に曲がり操作をスム−ズにする。【０００９】  除去具本体、軸芯を木質とした場合一例として、本来なら捨てられるような、自然木の間伐材も利用でき、単純な形状は、簡単な設備でよく量産も可能であり、使用後の処理も、使い捨てとした衛生的な誰にも使える、規格を遵守した医療用具である。
【符号の説明】
【０００９】  １  除去具本体
２  吸着面
３  ハンドル（軸心）
４  軸芯の無い最先端の吸着面（３０°柔軟な回転）
【図１】
0003163948.tif 000003
【図２】
0003163948.tif 000004
【手続補正書】
【提出日】平成21年8月21日(2009.8.21)
【手続補正２】
【補正対象書類名】実用新案登録請求の範囲
【補正対象項目名】全文
【補正方法】変更
【補正の内容】
【実用新案登録請求の範囲】
【請求項１】
本考案は、電気的なものを用いず、在宅患者用咽喉粘液（以下粘膜とします）除去具（以下除去具とします）に関するもので、重荷、高齢な在宅患者対応の簡単な医療器具に近いもので、経口用具の為衛生的で各規格に沿った、柔軟な不織布による粘液の吸着面、合成樹脂・適材を用いた、除去具本体の掌握部の棒体からなる構成で、形状は綿棒を拡大したようなものであり、製品化は、単純な射出成型法等量産可能な、各医療器具の規格に沿った在宅患者用咽喉粘液除去具。
【請求項２】
本考案、上記、請求項１は、材質として合成樹脂・適材を用いるが請求項２においては、間伐材を、利用することにより、在宅患者用咽喉粘液除去具の棒体部分に、間伐材を用い吸着部分は柔軟な不織布により形成し、実施において、処置後の廃棄物も木材なら、幾分、排気ガスも少ないものと又、単純な仕様で量産も可能、携帯用個装・常備用とした在宅患者用咽喉粘液除去具。
【手続補正３】
【補正対象書類名】明細書
【補正対象項目名】全文
【補正方法】変更
【補正の内容】
【考案の詳細な説明】
【技術分野】
【０００１】  本考案は、体力の衰えた高齢者の咽喉粘液（以下粘液とします）の絡まりによる呼吸不全発作時に、介護者が即座に対処できる咽喉粘液除去具（以下除去具とします）に関するもので、停電時にも電動吸引器に代用する。
【背景技術】
【０００２】  在宅診療を受けている、ベッドから一人で起きられない高齢者の何時起こるかわらない咽喉の粘液の絡まりによる呼吸不全発作には、早急の除去が望まれるが吸引器の備えが無い場合もあって、最悪の事態に陥ることも、又現在のように進化した医療器具が出回る以前の四・五十年ほど前には、昔の人の生活の知恵から、割り箸に綿花を巻きつけて、介護の人がさっと患者の口中に挿入し、軽く回して絡まった（痰）粘液を引き出す方法で対応してきた。
【考案の概要】
【考案が解決しようとする課題】
【０００３】  在宅患者の一戸毎にカテーテルによる電動吸引器すべてに備えてあるとは限らず、例え、セットしてあっても停電時は電化製品は使えないという問題点があって、その停電の間にも患者は呼吸不全の発作を恐れることに、又、介護に当たる人も、カテーテルの消毒・汚物の前後処理、本件除去具は、経口用具の為、特に消毒を万全に保つ等、介護者に過重な負担がかかり、高齢の御夫婦の場合では、昼夜を問わず介護する人の疲労度が大きくつまりは、よく言われる老々介護となるのであり、訪問の公的ケースワーカーも、深夜までは無理で、つまりは、家人が昼夜を問わず看取るという傾向にある。
【考案を解決するための手段】
【０００４】    本考案、除去具においては、形態は市販の綿棒に酷似ながら用途・サイズも、全長は２０ｃｍ太く長く、経口用具のため、不織布による柔軟な吸着面、先端部直径０．６ｃｍ、根元部を０．８ｃｍ、吸着面の全長を６ｃｍとし、材質としては、適材・合成樹脂製の棒体・不織布からなる構成、電気系でなく、全くの手働によるもので、操作においては、呼吸不全で咳き込む患者の咽喉部へ除去具を挿入し、吸着面を軽く廻しながら粘液を絡めて引出す仕様、医療用具のため各規格に沿った殺菌・消毒面への配慮、更に、携帯用・常備用を備え、不意の発作時、移動時・停電時の間も使用を可能にする、処置後は捨てるだけで始末も簡単な、咽喉粘液除去具が上記問題点を解決する。
【考案の効果】
【０００５】  上述のように、本考案、呼吸不全対応の、在宅患者用咽喉粘液除去具を常備し、移動に際しては携帯することにより患者に安堵感を与え、何時なんどき発作を起こしても、介護人ほか、誰にも容易に使えて慌てずに対処でき電動吸引機が、使えない時にも其の、隙間を埋める応急用具である。
【図面の簡単な説明】
【０００６】
【図１】本考案の在宅患者用咽喉粘液除去具の実施例を示す正面図である。
【考案を実施するための形態】
【０００７】  本考案、除去具において、昔は、幼児や、高齢者の居る家庭には、赤十字マーク付の木箱に、ガーゼ・絆創膏・胃薬・感冒薬等を常備していたものである。在宅治療で自らは何も出来ない寝たきりの高齢患者は、体力も弱り、食事など、嚥下もままならずといった特に、粘ついた粘液が間違って気管を塞いだりしたら一大事であり、この様に緊迫した事態にも本件除去具が手近にあれば、即座に誰にでも容易に患者の苦しみに対処できる。よく目立つ箱や、図で表示して、探し回らずにすむよう絶えず患者に身辺近くに常備が大切である。
【実施例】
【０００８】  以下、添付図面に従って実施例を説明する。図１の１は、合成樹脂適材による射出成型された除去具の本体、２は、咽喉粘液の吸着面、３は、除去具を掌握する棒体。【０００９】  除去具本体の一部、棒体部を、間伐材等を利用して合成樹脂製と同じサイズ・形態とした仕様の、第２の実施例としたものであり、処置後の汚物処理も木質系が排出ガスの軽減もあって、木材による棒体と不織布からなる吸着面も前者と同じく量産も可能で、使用後の処理も使い捨てとし衛生面も規格を遵守した医療用具、在宅患者用咽喉粘液除去具。
【符号の説明】
【００１０】１  除去具本体
２  吸着面
３  棒体
【手続補正書】
【提出日】平成21年11月24日(2009.11.24)
【手続補正１】
【補正対象書類名】実用新案登録請求の範囲
【補正対象項目名】全文
【補正方法】変更
【補正の内容】
【実用新案登録請求の範囲】
【請求項１】
本考案は、電気的なものを用いず、在宅患者用咽喉粘液（以下粘液とします）除去具（以下除去具とします）に関するもので、ベッドから起き上がれない高齢者、身体不自由な患者対応の、呼吸不全発作時の救急用具であり、簡易な仕様で、誰にも容易に使えて、経口用具の為衛生的、吸水性の柔軟な綿、ウレタン等不織布による除去具本体の粘液吸着面を又、除去具本体の吸着部を通した軸心（棒体）から掌握部棒体１４ｃｍ、円筒形・六角形の直径０．７ｃｍ、吸着面軸心先端は０，２ｃｍと細く徐々に太めながら掌握部棒体０．７ｃｍへ連続、樹脂により作成、除去具の全長を２０ｃｍ、吸着部分６ｃｍ、吸着部の先端３ｃｍ程まで軸心棒体を細く咽喉の湾曲に沿って緩やかに自由に曲がり、吸着面の直径を掌握部への取り付け箇所で０．９ｃｍとし、徐々に細く吸着面先端の直径は０．６ｃｍ、吸着部の脱落防止に留意した構成で、棒体は射出成型法等量産も可能な、常備用、携帯用には個包装の在宅患者用咽喉粘液除去具。
【請求項２】
本考案除去具において、咽喉粘液吸着部の材質・形状・衛生面サイズ・製法は同じくするものの、除去具の棒体を請求項１の樹脂に変え木質を用い、日本食の食膳に必要な箸同様の材質尚、本考案は山林の伐採による間伐材を利用することもあり、介護者による在宅患者の呼吸不全時の処置後は、洗浄・消毒等の手間が省けて廃棄、焼却するだけの、何時でも誰にも容易に使えてる常備用・携帯用個包装の在宅患者用咽喉粘液除去具。
【手続補正２】
【補正対象書類名】手続補正書
【補正対象項目名】手続補正３
【補正方法】変更
【補正の内容】
【手続補正３】
【補正対象書類名】明細書
【補正対象項目名】全文
【補正方法】変更
【補正の内容】
【考案の詳細な説明】
【技術分野】
【０００１】  在宅の、高齢で体力の衰えた患者の呼吸不全発作時に、咽喉に絡まった粘液（以下粘液とします）を介護者が即座に取り除く除去具（以下除去具とします）に関するもので、停電時や通院移動の際にも電動吸引機に代用する救急用除去具。
【背景技術】
【０００２】  在宅診療を受けている高齢者・ベッドから一人で起き上がれない患者の、何時起こるか分からない粘液の絡まりによる呼吸不全発作時は、救急な処置が望まれるが、吸引器の備えが無い場合や、停電だったりと、時として最悪の事態に陥ることも、遡りますが半世紀少し前までは、高齢者は自宅で療養、家族が介護することは当然のことで、患者の扱い方にも先人の知恵が、それを見て親から子へと受け継がれたもので、本考案除去具はよく言われる「昔返り」とも思えるが、現在のように高度な吸引機・医療器具として出回り重宝されてはいるが、文明の利器も停電時は使えず、車の移動時等にも呼吸不全発作には、電気的でない除去具の備えが望まれる。
【考案の概要】
【考案が解決しようとする課題】
【０００３】  在宅患者家庭の一戸ごとに、電動の吸引器が備えてあるとは限らず、例えセットしてあっても災害時等の停電時は、使えないという問題点があって、其の停電の間にも、患者の急な呼吸不全の発作で慌てる事態も又、介護に当たる人も、カテ−テルの消毒・汚物容器の洗浄処理等、手間も度重なると過労で心身の疲労の果て、患者への介護にも支障を来たすことも、在宅患者への訪問看護も深夜は無理で、患者側の医療費負担も大きく、つまりは家人が昼夜を問わず看取るという傾向にあり、待機入院患者も又、やがて十数年後には段階の世代といわれた多くの人々が一斉に高齢化で将来的にも益々、医師・介護者の不足や、施設不足で対応仕切れなくなり、大多数の患者が在宅療養になると予想される。
【考案を解決するための手段】
【０００４】  本考案、在宅患者用咽喉粘液除去具において、形状は市販の綿棒に酷似ながら、使用目的、サイズも異なっており、除去具本体の先端吸着面中心に軸心（棒体）を通し、棒体末端の掌握部まで、全長２０ｃｍ、先端の吸着面６ｃｍの軸心棒体０．３ｃｍ〜０．７ｃｍと太くし掌握部（棒体）０．７ｃｍへ連続、吸着面は湾曲した咽喉に沿って柔軟に曲がる仕様で、吸着面の掌握部棒体へ取り付け部分を直径０．９ｃｍ、先端を０．６ｃｍとする構成で、製法、材料の入手も容易で、簡単な操作で誰にも、用いることが可能な経口用の咽喉粘液除去具、緊急の場合に備えてあると便利な介護の救急用品、以上の理由により上記問題点を解決する。
【考案の効果】
【０００５】  本考案、呼吸不全対応の在宅咽喉粘液除去具を常備し、移動に際しては、個包装を携帯することにより、何時起こるかわからない発作にも患者の苦痛を即座に除ける簡単な経口用具であり慌てずに誰にも対処できる電動吸引機が使えない時にも代用、後処理のいらない使い捨ての救急用具であり、除去具の一部は、射出成型法を、又、請求項２は、省エネともなる、山林伐採の間伐材等材料の入手・製造工程も簡単であり、将来的にも、高齢化で、在宅患者の増加による潜在的需要増が予想される。
【図面の簡単な説明】
【０００６】
【図１】  本考案の在宅患者用咽喉粘液除去具の実施例を示す平面図である。
【図２】  本考案の在宅患者用咽喉粘液除去具の実施例として吸着面の機能を示す断面図である。
【考案を実施するための形態】
【０００７】  本考案、除去具において、昔は幼児や、高齢者の居る家庭には赤い十字マ−クの木箱に、ガ−ゼ・包帯・絆創膏・胃の薬・感冒薬などを常備していたもので在宅療養中の、自らは、何も出来ない寝たきりの高齢者は、体力も弱り食事などの嚥下もままならずといった事態や、特に、粘っこい粘液が咽喉に絡まり呼吸困難で、気管を塞いだりしたら一大事であり万一とはいえどもこの様に緊迫した時にも本件除去具が手近にあれば、即座に、誰にでも容易に患者の苦しみに対処できるものとして患者のベッド近くに、良く目立つ容器に図入りの説明を書き入れるなど、衛生的な常備・携帯用個包装の在宅患者用咽喉粘液除去具を提供する。
【実施例】
【０００８】  以下、添付図面に従って実施例を説明する。図１の１は、樹脂による射出成型法による全長２０ｃｍの除去具本体、図１の２は除去具吸着面６ｃｍ、図１の３は  掌握部棒体直径０．７ｃｍ、図１の４は、吸着面先端より３ｃｍの部位を緩やかに全方向に曲がる仕様で、中心を通す軸心棒体も細く先端０，２ｃｍ、３ｃｍから先、掌握部棒体への取り付け箇所まで徐々に太く０．７ｃｍ掌握部棒体へと繋ぎ、粘液除去の操作を滑らかにする。
【産業上の利用可能性】
【０００９】  除去具本体を通す軸心から掌握部までの棒体を木質とした請求項２においても、本来なら捨てられる山林の伐採による間伐材も利用でき、単純な形状で、実施化も容易で量産も可能、災害などの停電時は電動吸引機に代わる在宅患者用咽喉粘液除去具。
【符号の説明】
【００１０】  １    除去具本体
２    吸着面
３    掌握部棒体
４    吸着面の軸芯棒体を細く柔軟な曲がりを示す断面図
【手続補正３】
【補正対象書類名】手続補正書
【補正対象項目名】手続補正書１
【補正方法】削除
【補正の内容】
【手続補正４】
【補正対象書類名】手続補正書
【補正対象項目名】手続補正４
【補正方法】削除
【補正の内容】
【手続補正５】
【補正対象書類名】図面
【補正対象項目名】全図
【補正方法】変更
【補正の内容】
【図１】
0003163948.tif 000005
【図２】
0003163948.tif 000006
【手続補正書】
【提出日】平成22年3月3日(2010.3.3)
【手続補正１】
【補正対象書類名】実用新案登録請求の範囲
【補正対象項目名】全文
【補正方法】変更
【補正の内容】
【実用新案登録請求の範囲】
【請求項１】
咽喉粘液除去具は、咽喉からの粘液で呼吸の通り道である気管・気管支を塞ぎ、呼吸不全の発作を起こし喫緊な状態にある時、直ちに介護者が、咽喉に絡まった粘液を吸引する為の用具で、カテーテルを用いる電動の吸引器においては、使用不可能な、停電時や、車の移動時にも、当該除去具を携帯或は、家宅に常備することで、昼夜を問わず、何時起こるかわからない呼吸不全に備える在宅患者用咽喉粘液除去具であり、除去具の用い方は、介護者は、患者の口中に、当該除去具を挿入、軽やかに回して粘液を絡め引出す方法で、使用後は使い捨て処理を、本考案除去具の形態・構造においては、棒状の形で、全長２００ｍｍのＩ型、咽喉粘液吸着面と掌握部棒体からなり、円柱形の掌握部棒体径７ｍｍ、長さ１４５ｍｍとし、その掌握部棒体円柱形の先端を、２ｍｍと極端に細くした吸着面の軸心図３−４として延長、吸着面の長さ５５ｍｍ、内部先端２０ｍｍは軸心を通さず緩やかに動く構造とし、吸着面の材質は合成樹脂・繊維・不織布、一部・綿繊維・ガーゼを用いることもあるが、柔軟な吸着面先端部外径を先細りの６ｍｍ、同じく、棒体取り付け部、径９ｍｍ図３−２を形成し、容易に脱落しないよう取り付け、掌握部棒体は合成樹脂により作成尚、２型においてはサイズを各々、２０％縮小してなる手動方式の在宅患者用咽喉粘液除去具。
【請求項２】
咽喉粘液除去具の材質を、請求項１の記載では合成樹脂材を用いるが、形状・構造を同じくするもので、材質を天然材の木質を粘液除去具の、掌握部・棒体に、吸着面に綿・綿繊維、一部不織布を用いることもあり、吸着面に吸湿性のよい材質を用いた、経口用具につき衛生的な携帯・常備用の在宅患者用咽喉粘液除去具。
【手続補正２】
【補正対象書類名】明細書
【補正対象項目名】全文
【補正方法】変更
【補正の内容】
【考案の詳細な説明】
【技術分野】
【０００１】  本考案は、在宅療養の患者、高齢者対応の呼吸不全発作時、介護者が手動により咽喉に絡まった粘液の除去に用いる咽喉粘液除去具に関するものである。
【背景技術】
【０００２】  昼夜を問わず何時起こるかわからない自宅療養の患者、風邪気味の人の呼吸不全の発作は、体力の衰えた人、自発呼吸の乱れ、粘液を咳きにより吐き出す、体力の衰えた高齢者は、時として重態に陥るケースも有り、古来から、このようなことは延々と続いており、先人の知恵で、身近にいる看護者が、簡単に割り箸の先に綿花を薄く延ばし箸の一方にくるくると巻き付けたものを患者の咽喉に差し入れ粘液を絡めて引出す仕方を、つい最近まで親から子へと伝承されてきた。現在は高度で衛生的な電動吸引器も普及している。
【考案の概要】
【考案が解決しようとする課題】
【０００３】  現在も、近い将来も、高齢化により、益々待機入院患者も増える傾向で、患者すべての人が入院加療は難しく、大抵の患者は在宅で家人の看護を受けることが予想され、世界を瞬く間に巻き込む、悪性の風邪の流行時は、呼吸器の症状で苦しむ人が一挙に増え、医療施設でも、在宅の場合でもこの様な事態には、粘液の除去具の使用頻度がふえることに又在宅の看護をする人は除去操作後の、吸引器の洗浄・消毒や汚物の処理・セット等、重労働となり、特に高齢者が高齢患者を介護する場合は悲惨なことであり又、車での移動時や災害・停電時には高度な吸引器も使えないという前述の欠点を解決しようとするものである。
【課題を解決するための手段】
【０００４】  咽喉粘液除去具の形状は、粘液吸着面を植物の蒲の穂の穂部分を連想すると分かり易いが先細り穂型の、吸着面・長さ５５ｍｍ先端部ふわふわの外周・径６ｍｍ吸着面内部図３−４は木質・極細・径２ｍｍの軸芯・長さ３５ｍｍを、先端２０ｍｍ残して通し、吸着面ふわふわの根元の外周・径９ｍｍの根元は木質・円柱形掌握部・径６ｍｍの棒体へ、確りと固定、の掌握部・長さ１４５ｍｍ、の合わせて、全長２００ｍｍの形状・構造からなり、看護者による操作に際して、患者の、咽喉部・粘膜を刺激しないために、穂先にあたる吸着面を柔軟に曲がる仕様で、介護者が容易く、軽やかに廻し粘液を吸い付け引出すことにより、患者の呼吸不全を改善、当該除去具を常備、携帯することにより問題点を解決する。
【考案の効果】
【０００５】  時や場所を選ばず起こる呼吸不全の発作に対応するために、手動式で、災害や、停電時にも又、移動中も携帯して対応、一回毎に、使い捨てるので、後処理も要らず、介護者の負担を軽くし、患者の呼吸不全時に即座に対処、咽喉に絡んだ粘液の除去に役立つ。
【図面の簡単な説明】
【０００６】
【図１】本考案の在宅患者用咽喉粘液除去具の実施例を示す正面図である。
【図２】本除去具の柔軟な仕様の状態を示す正面図である。
【図３】本除去具・吸着面の一部切欠断面図である。
【考案を実施するための形態】
【０００７】  本粘液除去具の使用に際しては、医師・看護師の指導を受ける方法は最も適切であるが、常備用も、携帯用にも、説明書及び、図解を入れての説明で事足りるものと思われるが、介護者の高度な知識や技術的操作・資格などをは強要せず、誰にも使用目的を守り、あくまでも患者の呼吸不全発作時のみに限るものであり、常備用と携帯用、サイズをＩ型とやや小型の２型とした在宅患者対応の危急時に用いるものとする。
【実施例】
【０００８】  以下、添付図面に従って一実施例を説明する。１は請求項１及び請求項２の樹脂材・木質材を掌握部、吸着面に柔軟な天然材・樹脂材により形成された本体、２は吸着面、３は掌握部・棒体、４は吸着面の外見、図３の４は吸着面に柔軟性を設けるために極細の軸芯を設けたものである。
【符号の説明】
【０００９】  １  咽喉粘液除去具本体
２  粘液吸着面
３  掌握部・棒体
４  吸着面の軸心棒体を細く柔軟な曲がりを示す切欠断面図
【手続補正３】
【補正対象書類名】図面
【補正対象項目名】全図
【補正方法】変更
【補正の内容】
【図１】
0003163948.tif 000007
【図２】
0003163948.tif 000008
【図３】
0003163948.tif 000009
【手続補正書】
【提出日】平成22年6月13日(2010.6.13)
【手続補正１】
【補正対象書類名】実用新案登録請求の範囲
【補正対象項目名】全文
【補正方法】変更
【補正の内容】
【実用新案登録請求の範囲】
【請求項１】
咽喉粘液除去具は、呼吸不全の発作を起こした患者の寸刻を争う事態にあるとき、即座に家人又は介護者が咽喉に絡まった粘液を、本考案咽喉粘液除去具をもって口腔から挿入し絡め取る用具で、植物に喩えるとガマ科多年草の蒲、その蒲の花の穂形の、咽喉粘液除去具の吸着部と、吸着部の中心から通した棒体が、蒲の茎形の咽喉粘液除去具の操作時に掌握部とした形状が蒲の穂を連想するもので、材質は、天然・合成繊維・樹脂の適材を用いた吸着部長さ６５ミリメートル、棒体円柱六角形の掌握部長さ１６０ミリメートル径６ミリメートル合成樹脂性の掌握部からなり、吸着部分が水分を含んでも抜け落ちない接着、吸着部を柔軟仕様とした、呼吸不全の患者対応の、災害時・車の移動時・停電時の電動吸引器代用常備・携帯用の経口用救急咽喉粘液除去具。
【請求項２】
請求項２においては、請求項１記載の咽喉粘液除去具に、用途・形状を同じくするものの、棒体掌握部を合成樹脂材に替え、間伐材等の木材も用いる請求項１記載の咽喉粘液除去具。
【手続補正２】
【補正対象書類名】明細書
【補正対象項目名】全文
【補正方法】変更
【補正の内容】
【考案の詳細な説明】
【技術分野】
【０００１】  高齢者、喘息の患者の呼吸不全の発作時、家人や介護者が手動により、咽喉に絡まった粘液の除去に用いる咽喉粘液除去具に関するものである。
【背景技術】
【０００２】  呼吸不全の発作は昼夜を問わず起こすもので、自発呼吸の乱れから咽喉に絡まった粘液を咳きにより吐き出す体力の衰えた高齢者や悪性感冒の大流行時等には、収容する医療機関が満員状態だったりして、重態に陥る場合等が懸念されている。・・・・古来からこの様なことは延々と続いており、先人の知恵で、身近に居る家人や介護者が、いとも簡単に綿花を薄く延ばし、割り箸の片方にくるくると巻きつけたものを患者の咽喉へ差し入れ粘液を絡めて引出す仕方をつい最近まで親から子へと伝承されてきた。現在は、衛生的で高度な電動の吸引器も普及している。
【考案の概要】
【考案が解決しようとする課題】
【０００３】少子高齢化により、高齢者の待機入院患者を含め、益々増える傾向にあり、患者の総てが入院加療は難しく、大方の患者は在宅で家人の介護になることが予想れ又、世界を巻き込む悪性の感冒や、団塊世代の高齢化が進むと、一挙に高齢の患者が多く、殆どが在宅での療養に、家人の介護が欠かせないものとなり、なかには呼吸困難になり家人が馴れない吸引器を使用する頻度も多くなると、昼夜を問わない発作で看病疲れになり、老・老介護で共倒れのケースも、又、在宅患者の通院時の車中や、災害時、停電時には電動の粘液吸引器は使用出来ないという欠点があり、次の発作に備えて吸引器の洗浄・消毒・セットする等の負担が重くなる。
【課題を解決するための手段】
【０００４】  蒲の穂と茎に似た形状の単純な構造になる咽喉粘液除去具が呼吸不全で苦しんでいる人をいち早く、正常な自発呼吸ができるように、誰にも容易に使用できる経口用具で、咽喉に絡まった粘液を巻き付けて引っぱりだすまでの所要時間は３・４秒から５・６秒と幾多の人を救ったことか・・・と。本考案咽喉粘液除去具においては、吸着部の長さを６・５ミリメ−トルの「昔帰り」ともいへる先人の英知を発展させたにすぎないのであり、手指で脱脂綿を伸ばし割り箸先に巻きつける一連の手法を現代の、経口・衛生用品として改良した、常備・携帯用とするものであり前記の問題点を解決する。
【考案の効果】
【０００５】  時や、場所を選ばぬ呼吸不全の発作に対応するために、家人や介護者に救急用具としての置き場所を定める等で、患者の秒単位で迫りくる危機から、即座に誰もが使えて粘液の除去に対処する。
【図面の簡単な説明】
【０００６】
【図１】  本考案、咽喉粘液除去具の実施例を示す正面図である。
【図２】  本考案、咽喉粘液除去具の吸着部の柔軟仕様の状態を示す正面図である。
【考案を実施するための形態】
【０００７】  本考案、咽喉粘液除去具の使用に際しては、医師、看護師の指導を受ける方法が最も適切と思われるが、古来からの前例に倣って、図解入りの説明書でも納得できるものであるが、最近の報道によると、新しい法改正では、医師、看護師、臨床工学技士の他に、三種の理学療法師等有資格者にも、人口呼吸法及び吸引機器の患者への直接・施術が可能となり、急速な高齢化と在宅患者の増加を予想しての緩和策とも思え、在宅患者が多くなり病院や施設が収容出来ない状態に、そうなると在宅療養患者が増えることに、又それにつれ通院の移動時、災害による停電時には電動吸引器は使用できず、本考案、携帯用の咽喉粘液除去具が役立つ。
【実施例】
【０００８】  以下、添付図面に従って、一実施例を説明する。請求項１の合成樹脂製除去具の吸着部の中心を通した棒体６０ミリメ−トルのみを、やや細く形成して、吸着部に柔軟性を、又、請求項２において、木材による棒体を被った吸着部  先端の芯棒となる棒体の先端３０ミリメ−トルを欠損（芯無し）させることにより吸着部に柔軟性を持たせる仕様で、処置後は廃棄（使い捨て）する。
【符号の説明】
【０００９】１  咽喉粘液除去具本体
２  粘液吸着部
３  棒体掌握部
４  吸着部先端の芯棒となる棒体の先端３０ミリメ−トルを欠損（芯無し）させることにより、操作時に柔軟性を持った仕様とする。
【手続補正３】
【補正対象書類名】図面
【補正対象項目名】全図
【補正方法】変更
【補正の内容】
【図１】
0003163948.tif 000010
【図２】
0003163948.tif 000011
【手続補正書】
【提出日】平成22年8月11日(2010.8.11)
【手続補正１】
【補正対象書類名】実用新案登録請求の範囲
【補正対象項目名】全文
【補正方法】変更
【補正の内容】
【実用新案登録請求の範囲】
【請求項１】
咽喉粘液を絡め取る吸湿性の素材を用いた、先端が先細り形態である棒状の吸着部と前記吸着部の後端に接続された、木質又は合成樹脂で形成される棒状の掌握部と、からなる咽喉粘液除去具であって、前記掌握部の先端は前記吸着部の先端よりも手前に位置し、前記吸着部の先端は柔軟で３０°ほど緩やかに曲がる咽喉粘液除去具。